(57)【特許請求の範囲】
【請求項１】
ルーパ糸を受け入れる受口を有し、前記ルーパ糸が挿通する中空構造を有した少なくとも１つのルーパと、
前記ルーパに挿通させる前記ルーパ糸が挿入される糸挿入口と、
前記糸挿入口に挿入された前記ルーパ糸を前記受口に向けて導くルーパ導通管と、
前記ルーパ導通管と前記受口との間にあって一端が前記ルーパ導通管に摺動自在に嵌合しており、他端が前記受口に接続された糸通し位置と、前記他端が前記受口から離間した縫い実施位置との間を移動可能に設けられたスライド管と、
前記スライド管を保持して、前記スライド管と共に前記糸通し位置と前記縫い実施位置との間で移動する部材であって、当該移動の方向に沿って延在する長穴部と、前記長穴部に繋がって形成され、かつ、前記長穴部の幅よりも幅が広く形成された幅広穴部を有するスライド部材と、
前記スライド部材及び前記スライド管を前記受口側へ付勢するスライド部材ばねと、
回転駆動される主軸と、
前記主軸に固定され、前記受口と前記スライド管の前記他端とが接続可能な位置となる糸通し位相に相当する外周位置に切欠きを有する主軸固定板と、
一端が前記切欠きと係合して前記主軸を糸通し位相に固定する係合位置と、前記主軸固定板から完全に離れた退避位置との間を移動可能に設けられた軸状の部材であって、他端に前記スライド部材の前記長穴部及び前記幅広穴部とそれぞれ係合する小径部及び大径部を備え、前記小径部及び前記大径部と前記長穴部及び前記幅広穴部との係合によって、前記スライド部材の位置を前記糸通し位置及び前記縫い実施位置のそれぞれに維持する第１の軸と、
前記第１の軸の軸線方向に沿って相対的に移動可能に設けられた第２の軸と、
前記第１の軸と前記第２の軸とを互いに離れる向きに付勢する軸ばねと、
前記第２の軸から突出するように前記第２の軸に設けられた、又は、前記第２の軸と係合して前記第２の軸の軸線方向に一体となって移動可能な軸ピンと、
前記第１の軸に設けられ、前記軸ピン及び／又は前記第２の軸と係合して当該第１の軸を前記主軸固定板側へ移動させる力を受ける係合部と、
前記軸ピンと係合する軸ピン係合部又は前記軸ピンが設けられた主軸固定作動腕部、及び、前記主軸固定作動腕部と一体となって揺動可能な切換え制限部を有し、所定範囲内で揺動可能に設けられた揺動レバー部と、
前記揺動レバー部の揺動動作により中立点を越えることにより、前記揺動レバー部の揺動方向の両方向に付勢方向が切換わる主軸固定作動ばねと、
利用者による操作が可能なように設けられた切換え操作部と、
前記切換え操作部が操作されることにより動作して、前記揺動レバー部を揺動させるように前記切換え制限部と係合する切換え係合部を有し、かつ、前記切換え操作部が縫い実施位置側へ操作されることによりスライド部材の位置を前記縫い実施位置へ移動させるように前記スライド部材と係合可能なスライド部材係合部を有する切換え連動部と、
を備えるロックミシン。
【請求項２】
請求項１に記載のロックミシンにおいて、
少なくとも利用者が操作時に視認可能な位置に開口部が形成された外装部材を備え、
前記第１の軸の一部、及び／又は、前記第１の軸と一体となって移動する識別部材の一部は、前記第１の軸が前記退避位置に移動したときに前記開口部から露出した位置となることにより、前記スライド管及び前記スライド部材が縫い実施位置に移動して縫製が可能な状態となる縫い実施可能状態であることを示すこと、
を特徴とするロックミシン。
【請求項３】
請求項１又は請求項２に記載のロックミシンにおいて、
前記第１の軸が前記退避位置に移動して縫製が可能な状態となる縫い実施可能状態となったときにのみ前記主軸を駆動するモータの駆動を許可するスイッチを備えること、
を特徴とするロックミシン。
【発明の詳細な説明】
【技術分野】
【０００１】
本発明は、空気の力を利用してルーパにルーパ糸を通すことができるロックミシンに関するものである。
【背景技術】
【０００２】
ロックミシンには、複数のルーパが設けられており、これらルーパのそれぞれに対してそれぞれ異なるルーパ糸を通す必要があり、糸通し作業が繁雑であった。
特許文献１には、圧縮空気を用いて糸を中空のルーパ剣先まで通す装置が開示されている。
【０００３】
しかし、特許文献１に開示されている装置は、糸通し可能位相を検出してその位相に保持するときに、固定ボタンを押す操作とはずみ車を回す操作とを同時に行う必要があり、両手による作業が必要であった。
【０００４】
そこで、特許文献２には、制御ピンを有した押ボタンと、制御ピンを受け容れる制御溝カム部とを設け、押しボタンと、制御溝カム部と、主軸とを別々に片手で操作可能としている装置が開示されている。
【０００５】
しかし、特許文献２の装置では、片手での操作が可能となっているものの、糸通し状態を解除するときには、別の復帰レバーの操作を行う必要があった。したがって、特許文献２の装置は、２状態の切換え操作を行うために、２つの操作部材を操作する必要があり、直感的に操作ができずに操作性が悪かった。
【先行技術文献】
【特許文献】
【０００６】
【特許文献１】特開平５−２２８２８５号公報
【特許文献２】特開２０１３−３３８号公報
【発明の概要】
【発明が解決しようとする課題】
【０００７】
本発明の課題は、糸通し状態と縫い実施可能状態との切換を簡単に行うことができるロックミシンを提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、ルーパ糸（５８，５９）を受け入れる受口（１ａ，２ａ）を有し、前記ルーパ糸（５８，５９）が挿通する中空構造を有した少なくとも１つのルーパ（１，２）と、前記ルーパ（１，２）に挿通させる前記ルーパ糸（５８，５９）が挿入される糸挿入口（４８ａ，４８ｂ）と、前記糸挿入口（４８ａ，４８ｂ）に挿入された前記ルーパ糸（５８，５９）を前記受口（１ａ，２ａ）に向けて導くルーパ導通管（１２，１３）と、前記ルーパ導通管（１２，１３）と前記受口（１ａ，２ａ）との間にあって一端（４ｂ）が前記ルーパ導通管（１２，１３）に摺動自在に嵌合しており、他端（４ｃ）が前記受口（１ａ，２ａ）に接続された糸通し位置と、前記他端（４ｃ）が前記受口（１ａ，２ａ）から離間した縫い実施位置との間を移動可能に設けられたスライド管（４）と、前記スライド管（４）を保持して、前記スライド管（４）と共に前記糸通し位置と前記縫い実施位置との間で移動する部材であって、当該移動の方向に沿って延在する長穴部（６ｆ）と、前記長穴部（６ｆ）に繋がって形成され、かつ、前記長穴部（６ｆ）の幅よりも幅が広く形成された幅広穴部（６ｅ）を有するスライド部材（６）と、前記スライド部材（６）及び前記スライド管（４）を前記受口（１ａ，２ａ）側へ付勢するスライド部材ばね（支持板軸ばね１０）と、回転駆動される主軸（２８）と、前記主軸（２８）に固定され、前記受口（１ａ，２ａ）と前記スライド管（４）の前記他端（４ｃ）とが接続可能な位置となる糸通し位相に相当する外周位置に切欠き（２９ａ）を有する主軸固定板（２９）と、一端（２４ｄ）が前記切欠き（２９ａ）と係合して前記主軸（２８）を糸通し位相に固定する係合位置と、前記主軸固定板（２９）から完全に離れた退避位置との間を移動可能に設けられた軸状の部材であって、他端に前記スライド部材（６）の前記長穴部（６ｆ）及び前記幅広穴部（６ｅ）とそれぞれ係合する小径部（２４ｂ）及び大径部（２４ｃ）を備え、前記小径部（２４ｂ）及び前記大径部（２４ｃ）と前記長穴部（６ｆ）及び前記幅広穴部（６ｅ）との係合によって、前記スライド部材（６）の位置を前記糸通し位置及び前記縫い実施位置のそれぞれに維持する第１の軸（２４）と、前記第１の軸（２４）の軸線方向に沿って相対的に移動可能に設けられた第２の軸（２６）と、前記第１の軸（２４）と前記第２の軸（２６）とを互いに離れる向きに付勢する軸ばね（２５）と、前記第２の軸（２６）から突出するように前記第２の軸（２６）に設けられた、又は、前記第２の軸（２６）と係合して前記第２の軸（２６）の軸線方向に一体となって移動可能な軸ピン（２７）と、前記第１の軸（２４）に設けられ、前記軸ピン（２７）及び／又は前記第２の軸（２６）と係合して当該第１の軸（２４）を前記主軸固定板（２９）側へ移動させる力を受ける係合部（２４ａ）と、前記軸ピン（２７）と係合する軸ピン係合部（２０ｂ）又は前記軸ピン（２７）が設けられた主軸固定作動腕部（２０）、及び、前記主軸固定作動腕部（２０）と一体となって揺動可能な切換え制限部（１９）を有し、所定範囲内で揺動可能に設けられた揺動レバー部（１６，１９，２０）と、前記揺動レバー部（１６，１９，２０）の揺動動作により中立点を越えることにより、前記揺動レバー部（１６，１９，２０）の揺動方向の両方向に付勢方向が切換わる主軸固定作動ばね（２１）と、利用者による操作が可能なように設けられた切換え操作部（６４）と、前記切換え操作部（６４）が操作されることにより動作して、前記揺動レバー部（１６，１９，２０）を揺動させるように前記切換え制限部（１９）と係合する切換え係合部（６２ｃ，６２ｄ）を有し、かつ、前記切換え操作部（６４）が縫い実施位置側へ操作されることによりスライド部材（６）の位置を前記縫い実施位置へ移動させるように前記スライド部材（６）と係合可能なスライド部材係合部（６２ｂ）を有する切換え連動部（切換え連動腕６２）と、を備えるロックミシンである。
【０００９】
請求項２の発明は、請求項１に記載のロックミシンにおいて、少なくとも利用者が操作時に視認可能な位置に開口部（５６ａ）が形成された外装部材（５６）を備え、前記第１の軸（２４）の一部、及び／又は、前記第１の軸（２４）と一体となって移動する識別部材（３０）の一部は、前記第１の軸（２４）が前記退避位置に移動したときに前記開口部（５６ａ）から露出した位置となることにより、前記スライド管（４）及び前記スライド部材（６）が縫い実施位置に移動して縫製が可能な状態となる縫い実施可能状態であることを示すこと、を特徴とするロックミシンである。
【００１０】
請求項３の発明は、請求項１又は請求項２に記載のロックミシンにおいて、前記第１の軸（２４）が前記退避位置に移動して縫製が可能な状態となる縫い実施可能状態となったときにのみ前記主軸（２８）を駆動するモータの駆動を許可するスイッチ（３２）を備えること、を特徴とするロックミシンである。
【発明の効果】
【００１１】
本発明によれば、ロックミシンは、糸通し状態と縫い実施可能状態との切換を簡単に行うことができる。
【図面の簡単な説明】
【００１２】
【図１】本発明によるロックミシンの実施形態を示す要部斜視図である。
【図２】ルーパ糸通路Ｃの右端部付近の構成をスライド板支え１４を透視した状態により示した斜視図である。
【図３】ルーパ糸通路Ｃのスライド板６付近の分解斜視図である。
【図４】ルーパ糸通路Ｃのスライド板支え１４付近の分解斜視図である。
【図５】主軸固定機構Ｄ付近の分解斜視図である。
【図６Ａ】縫い実施可能状態における糸通し切換えつまみ６４とスライド板６とスライド管４との位置を示す図である。
【図６Ｂ】縫い実施可能状態における切換え制限腕１９の状態を示す図である。
【図６Ｃ】縫い実施可能状態における主軸固定作動腕２０と主軸固定外軸２４と主軸固定内軸２６との関係を示す図である。
【図６Ｄ】縫い実施可能状態におけるモータスイッチキャップ３０とマイクロスイッチ３２との関係を示す図である。
【図７Ａ】糸通し切換えつまみ６４を反時計回りに回動している状態における糸通し切換えつまみ６４とスライド板６とスライド管４との位置を示す図である。
【図７Ｂ】糸通し切換えつまみ６４を反時計回りに回動している状態における切換え制限腕１９の状態を示す図である。
【図７Ｃ】糸通し切換えつまみ６４を反時計回りに回動している状態における主軸固定作動腕２０と主軸固定外軸２４と主軸固定内軸２６との関係を示す図である。
【図７Ｄ】糸通し切換えつまみ６４を反時計回りに回動している状態におけるモータスイッチキャップ３０とマイクロスイッチ３２との関係を示す図である。
【図８Ａ】糸通し状態への切換え完了状態における糸通し切換えつまみ６４とスライド板６とスライド管４との位置を示す図である。
【図８Ｂ】糸通し状態への切換え完了状態における切換え制限腕１９の状態を示す図である。
【図８Ｃ】糸通し状態への切換え完了状態における主軸固定作動腕２０と主軸固定外軸２４と主軸固定内軸２６との関係を示す図である。
【図８Ｄ】糸通し状態への切換え完了状態におけるモータスイッチキャップ３０とマイクロスイッチ３２との関係を示す図である。
【発明を実施するための形態】
【００１３】
以下、本発明を実施するための最良の形態について図面等を参照して説明する。
【００１４】
（実施形態）
図１は、本発明によるロックミシンの実施形態を示す要部斜視図である。
図２は、ルーパ糸通路Ｃの右端部付近の構成をスライド板支え１４を透視した状態により示した斜視図である。
図３は、ルーパ糸通路Ｃのスライド板６付近の分解斜視図である。
図４は、ルーパ糸通路Ｃのスライド板支え１４付近の分解斜視図である。
図５は、主軸固定機構Ｄ付近の分解斜視図である。
なお、図１から図５を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
また、理解を容易にするため、及び、説明の便宜上、図１中に矢印により示した前（又は、手前）、後（又は、背、裏）、左、右、上、下の６つの向きを適宜用いて説明を行う。ただし、これらの向きは、発明の構成を限定するものではない。
【００１５】
本実施形態では、２つのルーパ（上ルーパ１，下ルーパ２）を備えたロックミシンを例に挙げて説明する。ただし、本発明は、ルーパへの糸通しが１本又は３本以上ある場合であっても、利用可能である。
【００１６】
本実施形態のロックミシンは、図１中に示したルーパ部Ａと、空気流路切換え機構Ｂと、ルーパ糸通路Ｃと、主軸固定機構Ｄとを主要な構成として有している。なお、ロックミシンには、この他に針やモータ等及び各種駆動機構を備えているが、詳細は省略する。
【００１７】
ルーパ部Ａは、空気流路切換え機構Ｂ及びルーパ糸通路Ｃを介して搬送される上ルーパ糸５８及び下ルーパ糸５９を受け取る中空構造の上ルーパ１と、下ルーパ２とを備えている。上ルーパ１及び下ルーパ２は、それぞれ、各ルーパ糸を受け容れる上ルーパ受口１ａ及び下ルーパ受口２ａを有している。
上ルーパ受口１ａは、管状部材１ｂを介して上ルーパ剣先１ｃまで通じている。下ルーパ受口２ａは、管状部材２ｂを介して下ルーパ剣先２ｃまで通じている。ルーパ天秤３は、上ルーパ糸掛け３ａ、下ルーパ糸掛け３ｂを有している。上ルーパ１と下ルーパ２は、不図示のモータにより駆動される主軸２８の回転により上下動する不図示の針と交差タイミングを取りながら往復運動を行う。
【００１８】
空気流路切換え機構Ｂは、チューブ３６に供給される圧縮空気の流路を切換えて、上ルーパ糸５８の糸通しと下ルーパ糸５９の糸通しとを切換える機構である。空気流路切換え機構Ｂは、分岐体４４が、分岐台板５０に対してねじ５１により固定されて構成されており、その背面には、チューブ３６が連結されており、圧縮空気供給装置（図示せず）において発生させた圧縮空気が空気流路切換え機構Ｂに供給される。
空気流路切換え機構Ｂの前面にはルーパ選択つまみ４５が設けられ、このルーパ選択つまみ４５が操作されることにより、糸通し作業の際、上ルーパ糸５８と下ルーパ糸５９のどちらを通すのかが設定される。
空気流路切換え機構Ｂの上面には、上ルーパ糸挿入穴４８ａと、下ルーパ糸挿入穴４８ｂとが配置されている。
空気流路切換え機構Ｂは、下端に上ルーパ糸排出管５４ａと、下ルーパ糸排出管５４ｂとを有しており、後述する上ルーパ導通管１２及び下ルーパ導通管１３の上端拡張部１２ｂ，１３ｂと連結する。
また、空気流路切換え機構Ｂ３２は、ねじ５３によりミシン本体又はユニット台５５に固定されている。
【００１９】
スライド管４は、フランジ部４ａによりスライド管ばね５を受けており、スライド板６のＵ溝６ａにそのフランジ部４ａを受け面にして挿入されている。スライド管４は、それぞれ一端４ｂが上ルーパ導通管１２及び下ルーパ導通管１３に摺動自在に嵌合している。また、スライド管４は、スライド板６の移動に従動して糸通し位置と縫い実施位置間を移動する。糸通し位置では、スライド管４の他端４ｃは、上ルーパ受口１ａ及び下ルーパ受口２ａに接続された状態にある。縫い実施位置では、スライド管４の他端４ｃは、上ルーパ受口１ａ及び下ルーパ受口２ａから離間した状態にある。
スライド管ばね５は、スライド管４に嵌合していて、スライド管４の糸通し位置移動時にスライド管４を上ルーパ受口１ａ、下ルーパ受口２ａに加圧接触させる。
【００２０】
スライド板（スライド部材）６は、２個のＵ溝６ａに対応する向かい側に２個の丸穴６ｂを有している。スライド板６のＵ溝６ａと丸穴６ｂとを含む部分は、ルーパ管支持板７の内側領域（後述の対向部に挟まれた領域）に配置されている。スライド板６は、スライド管４を保持して、スライド管４と共に糸通し位置と縫い実施位置との間で移動する。
【００２１】
ルーパ管支持板７は、左右方向に延在する部分の両側に設けられた互いに対向する対向部がそれぞれ前方に立ち曲げられた形状（いわゆるコの字形状）に形成されている。ルーパ管支持板７は、これら対向部に通し穴７ａ、７ｂを有している。また、スライド板６には、この通し穴７ａ、７ｂに対応する丸穴６ｃが上述した２個の丸穴６ｂと同一面に形成されている。
【００２２】
支持板軸８は、ルーパ管支持板７の通し穴７ａ、７ｂ、及びその間に、スライド板６の丸穴６ｃを貫通しており、両端にＥ形止め輪９が止められることによりルーパ管支持板７に固定される。支持板軸８は、スライド板６の丸穴６ｃとルーパ管支持板７の通し穴７ａとの間に支持板軸ばね１０を保持する。ルーパ管支持板７は、ねじ１１により不図示のミシン本体又はユニット台５５に固定されるので、スライド板６は、支持板軸ばね１０により常時、左方向に付勢される。
支持板軸ばね１０は、スライド板６及びスライド管４を常時左方向に付勢しており、糸通し切換え時のスライド板６及びスライド管４の左方向への移動の駆動源となる。
【００２３】
上ルーパ導通管１２は、その直線部１２ａがルーパ管支持板７の右側面穴７ｃ、及び、スライド板６の丸穴６ｂを貫通し、さらにスライド管ばね５、及び、スライド管４を貫通して、スライド管４と共にルーパ管支持板７の左側面穴７ｄまで貫通している。
下ルーパ導通管１３は、その直線部１３ａがルーパ管支持板７の右側面穴７ｅ、及び、スライド板６の丸穴６ｂを貫通し、さらにスライド管ばね５、及び、スライド管４を貫通して、スライド管４と共にルーパ管支持板７の左側面穴７ｆまで貫通している。
【００２４】
スライド板６は、長穴６ｄと、異形長穴６ｈとを有している。
異形長穴６ｈは、スライド板６の移動の方向（左右方向）に沿って延在する長穴部６ｆと、長穴部６ｆに繋がって形成され、かつ、長穴部６ｆの幅よりも幅が広く形成された幅広穴部６ｅとを有している。
また、スライド板６は、その右側端部付近に、前側に突出したピン６ｇを有している。
【００２５】
スライド板支え１４は、ねじ２２により不図示のミシン本体又はユニット台５５に固定されている。スライド板支え１４は、スライド板６と主軸固定外軸２４とを保持しており、さらに、主軸固定作動軸１６と、主軸固定作動腕２０と、切換え制限腕１９とを保持している。
スライド板支え１４は、一端にＥ溝付きピン１４ａが配置され、他端にも同様にＥ溝付きピン１４ａが配置されている。スライド板支え１４は、スライド板６の長穴６ｄ及び長穴部６ｆのそれぞれにＥ溝付きピン１４ａが嵌合した状態でＥ形止め輪１５により固定されることにより、スライド板６を摺動自在に保持している。
スライド板支え１４は、そのほぼ中央に丸穴１４ｂを有しており、この丸穴１４ｂには、主軸固定外軸２４が貫通している。スライド板支え１４は、その右半分部に通し穴１４ｃ、１４ｄを有している。通し穴１４ｃ、１４ｄには、主軸固定作動軸１６が貫通しており、主軸固定作動軸１６は、Ｅ形止め輪１７によりスライド板支え１４に回転自在に設けられている。
【００２６】
切換え制限腕（切換え制限部）１９は、スライド板支え１４の右側に設けられた略コの字形状内側において主軸固定作動軸１６に固定されており、Ｅ形止め輪１７との共働でスラスト方向のガタ詰めがなされて主軸固定作動腕２０と一体的に回転自在に保持されている。
【００２７】
切換え制限腕１９の上方に延びた腕には、ピン１９ａが配置されている。ピン１９ａは、スライド板支え１４の右端にある円弧形長穴１４ｅに揺動自在に嵌合している。この円弧形長穴１４ｅとピン１９ａとの嵌合により、切換え制限腕１９の揺動範囲が規制されている。
また、切換え制限腕１９は、手前側に延びるピン１９ｂを有している。このピン１９ｂには、後述する切換え連動腕６２の腕６２ｃ，６２ｄが係合可能となっている。
【００２８】
主軸固定作動軸１６の左端には、主軸固定作動腕（主軸固定作動腕部）２０が固定されている。主軸固定作動腕２０は、主軸固定作動軸１６を介して切換え制限腕１９と一体的に揺動運動を行う。主軸固定作動腕２０の一端には、ピン２０ａが配置されており、スライド板支え１４の小穴１４ｆとの間に主軸固定作動ばね２１が掛けられている。主軸固定作動ばね２１は、主軸固定作動腕２０の揺動動作により中立点を越えて両極方向に交互に付勢を行う。また、主軸固定作動腕２０の一端には、長穴状に形成された軸ピン係合部２０ｂが設けられている。この軸ピン係合部２０ｂには、後述の固定内軸ピン２７が係合している。主軸固定作動腕２０は、軸ピン係合部２０ｂが固定内軸ピン２７を押すことにより主軸固定内軸２６及び主軸固定外軸２４を前後動させる。
【００２９】
主軸固定作動腕２０は、主軸固定作動ばね２１の作用により、中立点を越えて手前側と奥側に交互に付勢されるようになっている。また、主軸固定作動腕２０は、スライド板支え１４の円弧形長穴１４ｅと切換え制限腕１９のピン１９ａの嵌合により、主軸固定作動腕２０の揺動範囲が規制されている。
なお、本実施形態では、上述したように、主軸固定作動軸１６と、切換え制限腕１９と、主軸固定作動腕２０とにより所定範囲内で揺動可能に設けられた揺動レバー部を形成している。しかし、これらの一部又は全部を一体化して揺動レバー部を構成するようにしてもよい。
【００３０】
ユニット台５５には、切換え軸５５ａが前方に向けて延在して設けられている。なお、切換え軸５５ａは、ミシン本体等に設けられていてもよい。切換え軸５５ａには連動腕受け６１が挿入されてねじ６１ｃにより固定されており、そのさらに手前に切換え連動腕６２が回転自在に挿入されている。
【００３１】
連動腕受け６１には、後方に凹んで形成された凹部６１ａ，６１ｂが回転方向に並んで形成されている。
切換え連動腕６２は、ボス部６２ａと、腕６２ｂ，６２ｃ，６２ｄと、球状突起６２ｅとを有している。
ボス部６２ａは、中空の略棒状に形成されており、この中空部分に切換え軸５５ａが貫通しており、切換え連動腕６２の手前に座金６３とＥ形止め輪６６を設けて、連動腕受け６１とＥ形止め輪６６とにより切換え連動腕６２を挟んで切換え連動腕６２の軸方向の動きを規制している。
腕部（スライド部材係合部）６２ｂは、ボス部６２ａから上方に延在して設けられている。腕６２ｂは、その先端の右端部がスライド板６のピン６ｇに当接可能となっている。後述の糸通し切換えつまみ６４が前方から見て時計回り方向に回転させられると、糸通し切換えつまみ６４と共に切換え連動腕６２が回転して腕６２ｂがピン６ｇを押し、スライド板６を右側へ移動させることができる。
【００３２】
腕部（切換え係合部）６２ｃは、腕６２ｂの上方から右側へ向けて延在して設けられている。
腕６２ｄ（切換え係合部）は、腕６２ｂの上方から右側へ向けて延在して設けられている。
腕６２ｃと腕６２ｄとに挟まれた略Ｖ字形状の空間には、切換え制限腕１９のピン１９ｂが挿入されており、糸通し切換えつまみ６４の回転方向に応じて、腕６２ｃ又は腕６２ｄがピン１９ｂと係合する。
球状突起６２ｅは、ボス部６２ａから下方に延在している部分から、後方に向けて突出して形成されている。球状突起６２ｅが連動腕受け６１の凹部６１ａ，６１ｂに嵌まり込むことにより、切換え連動腕６２の回転位置を仮保持することができる。
【００３３】
糸通し切換えつまみ（切換え操作部）６４は、切換え連動腕６２のボス部６２ａに嵌合して、ねじ６５を用いて切換え連動腕６２に対して固定されている。よって、糸通し切換えつまみ６４を左右に揺動（所定範囲内で回転）操作することにより切換え連動腕６２も糸通し切換えつまみ６４と一体的に揺動（所定範囲内で回転）可能となる。
ミシン完成状態では、切換え連動腕６２までが正面カバー５６（図７ｃ参照）内の内部構造となり、糸通し切換えつまみ６４は、使用者が操作するための外部部品となる。
【００３４】
ルーパ糸通路Ｃの左端には、ルーパ天秤案内２３が配置されている。ルーパ天秤案内２３には、ルーパ管支持板７の左側面穴７ｄ、７ｆに対応する位置に２個の丸穴２３ａ、２３ｂが形成されている。
ルーパ天秤案内２３は、ねじ５７により不図示のミシン本体又はユニット台５５に固定されている。
【００３５】
スライド板支え１４の丸穴１４ｂに嵌合した主軸固定外軸（第１の軸）２４は、内径部が空洞であり、その空洞部に固定内軸ばね（軸ばね）２５と、主軸固定内軸（第２の軸）２６とが挿入されている。よって、主軸固定内軸２６は、主軸固定外軸２４の軸線方向に沿って相対的に移動可能になっている。主軸固定内軸２６は、後述の固定内軸ピン２７を介して主軸固定作動腕２０の揺動により前後動する。また、固定内軸ばね２５は、主軸固定外軸２４と主軸固定内軸２６とを互いに離れる向きに付勢する。これにより、固定内軸ばね２５は、主軸固定外軸２４の中間位置維持の付勢部材として機能する。
【００３６】
また、主軸固定外軸２４の側面長穴（係合部）２４ａを通して固定内軸ピン（軸ピン）２７が主軸固定内軸２６の手前側先端に、側方へ突出するようにして固定されている。固定内軸ピン２７は、主軸固定作動腕２０の揺動を主軸固定内軸２６に伝達する機能を有している。固定内軸ピン２７は、主軸固定外軸２４の側面長穴２４ａが形成されている範囲内で前後方向に移動可能であり、それに伴い主軸固定内軸２６も主軸固定外軸２４内を移動する。側面長穴２４ａは、固定内軸ピン２７と係合して主軸固定外軸２４を主軸固定板２９側へ移動させる力を受ける係合部としての機能も有している。
【００３７】
主軸固定外軸２４の軸中心線上には、主軸２８に固定された主軸固定板２９が配置されている。主軸固定板２９の外周には、主軸固定外軸２４の一端２４ｄと嵌合可能な切欠き２９ａが所定の位相（糸通し位相に相当）に配置されている。主軸固定外軸２４が最後位置（係合位置）になると、主軸固定外軸２４一端２４ｄが切欠き２９ａと係合して主軸２８を糸通し位相に固定する。
【００３８】
主軸固定外軸２４の手前側先端には、モータスイッチキャップ（識別部材）３０がねじ３１により固定されている。モータスイッチキャップ３０は、主軸固定外軸２４と一体的に前後動する。
モータスイッチキャップ３０は、腕を下方に延ばした先端にスイッチ接触面３０ａを有している。
モータスイッチキャップ３０の下部には、マイクロスイッチ（スイッチ）３２が配置されている。マイクロスイッチ３２は、スイッチ取付板３３にねじ３４により固定されている。また、スイッチ取付板３３は、ミシン本体又はユニット台５５にねじ３５により固定されている。
本実施形態の不図示の回路上では、主軸固定外軸２４が主軸固定板２９から完全に離れた退避位置となる最前位置、すなわち、モータスイッチキャップ３０が最前位置の場合にのみモータ駆動回路がＯＮになる構成となっている。この状態は、スライド板６及びスライド管４が右に移動した状態であり縫い実施可能状態に相当する。
【００３９】
また、主軸固定外軸２４は、スライド板６の長穴部６ｆ及び幅広穴部６ｅとそれぞれ係合する小径部２４ｂ及び大径部２４ｃを備えている。主軸固定外軸２４は、小径部２４ｂ及び大径部２４ｃと長穴部６ｆ及び幅広穴部６ｅとの係合によって、スライド板６の位置を糸通し位置及び縫い実施位置のそれぞれに維持する。
【００４０】
上述した構成により、主軸固定外軸２４は、その一端が主軸固定板２９の切欠き２９ａと嵌合して、主軸２８を所定位相に固定する。また、主軸固定外軸２４は、その他端がスライド板６の異形長穴６ｈと嵌合して、スライド板６を糸通し位置と縫い実施位置に個々に維持する。さらに、主軸固定外軸２４は、内径穴部に固定内軸ばね２５と、主軸固定内軸２６と、固定内軸ピン２７とを収めて、主軸固定外軸２４のユニットを構成する。
【００４１】
上述した構成を有する本実施形態のロックミシンでは、上ルーパ１及び下ルーパ２は、それぞれ上ルーパ糸及び下ルーパ糸を保持して針に保持された針糸（不図示）と共に互いに交差しながら縫目を形成していく。
ルーパ糸通路Ｃは、主軸固定機構Ｄ及び空気流路切換え機構Ｂをそれぞれ連結している。主軸固定外軸２４がミシン本体又はユニット台５５を貫通して主軸２８に固定した主軸固定板２９の切欠き２９ａと嵌合したとき、ルーパ糸通路Ｃは、ルーパ選択つまみ４５により設定された上ルーパ１又は下ルーパ２にチューブ３６を介して送られる圧縮空気により各ルーパ糸を送り込む。空気流路切換え機構Ｂの末端にある上ルーパ糸排出管５４ａ，下ルーパ糸排出管５４ｂは、ルーパ糸通路Ｃ側の入口である上ルーパ導通管１２の上端拡張部１２ｂ及び下ルーパ導通管１３の上端拡張部１３ｂと結合して圧縮空気を流通させている。
主軸固定外軸２４と主軸固定板２９の切欠き２９ａとが出会う位相は、ルーパ部Ａにおいて上ルーパ受口１ａと下ルーパ受口２ａとが水平線上に一致して、スライド管４の延長線上に達するタイミングとなるように設定されている。
【００４２】
糸通し状態と縫い実施状態との設定は、主軸固定外軸２４を主軸固定板２９側に押し込んで切欠き２９ａと嵌合させるか、手前側に引き出して切欠き２９ａとの嵌合を解除させるかによるものであり、糸通し切換えつまみ６４の揺動操作（所定範囲内における回転操作）と不図示のはずみ車（主軸と同期して回転）の操作により設定できる。
【００４３】
糸通し状態に設定する場合は、糸通し切換えつまみ６４を反時計回りに操作した後、はずみ車を手回しすることにより、設定が可能である。糸通し切換えつまみ６４を反時計回りに操作することで、切換え制限腕１９及び主軸固定作動腕２０は、ミシン右側面から見て時計回りに回動し、主軸固定外軸２４を奥側（後方）へ付勢することになる。
はずみ車を回して主軸固定板２９の切欠き２９ａが主軸固定外軸２４の位置に一致したとき、主軸固定作動ばね２１の付勢により主軸固定外軸２４が切欠き２９ａに突入することで嵌合が成立する。
【００４４】
縫い実施状態に設定する場合は、糸通し切換えつまみ６４を時計回りに操作する。これにより、切換え制限腕１９及び主軸固定作動腕２０は、ミシン右側面から見て反時計回りに回動して主軸固定外軸２４を手前側へ付勢することになる。このとき、切換え連動腕６２によりスライド板６も右方向に引き戻されるので、スライド板６の異形長穴６ｈは、嵌合していた主軸固定外軸２４の小径部２４ｂを横に滑って幅広穴部６ｅに達し、主軸固定外軸２４の外径と一致して、主軸固定外軸２４が手前側に押し出される。その結果、主軸固定板２９の切欠き２９ａと主軸固定外軸２４との嵌合は解除され、縫い実施状態に切換わる。
【００４５】
次に、本実施形態のロックミシンにおける糸通し状態と縫い実施可能状態との切換え動作について詳細に説明する。
図６Ａは、縫い実施可能状態における糸通し切換えつまみ６４とスライド板６とスライド管４との位置を示す図である。
図６Ｂは、縫い実施可能状態における切換え制限腕１９の状態を示す図である。
図６Ｃは、縫い実施可能状態における主軸固定作動腕２０と主軸固定外軸２４と主軸固定内軸２６との関係を示す図である。
図６Ｄは、縫い実施可能状態におけるモータスイッチキャップ３０とマイクロスイッチ３２との関係を示す図である。
【００４６】
縫い実施可能状態では、糸通し切換えつまみ６４が時計回りに回動した状態であり、切換え連動腕６２の腕６２ｃが切換え制限腕１９のピン１９ｂを押し下げることにより、切換え制限腕１９及び主軸固定作動腕２０は、ミシン右側面から見て反時計回りに回動することになる。
他方で、切換え連動腕６２の腕６２ｂは、スライド板６のピン６ｇを右方向へ押すこととなり、スライド板６は、右方向へ移動させられる。
この結果、スライド板６の幅広穴部６ｅは、主軸固定外軸２４と一致する位置に移動し、主軸固定作動腕２０の回動により固定内軸ピン２７を介して手前向きに付勢された主軸固定外軸２４は、ミシン手前側に押し出される。よって主軸固定外軸２４は、主軸固定板２９の切欠き２９ａとの嵌合を解除されて主軸２８は、回転可能となる。
【００４７】
糸通し切換えつまみ６４を固定している切換え連動腕６２は、一端の球状突起６２ｅと連動腕受け６１の凹部６１ａが一致することにより、縫い実施可能状態の位置に糸通し切換えつまみ６４を安定的に維持している。
【００４８】
主軸固定外軸２４が手前に出てきているので、主軸固定外軸２４にねじ止めされたモータスイッチキャップ３０のボス部３０ｂは、ミシンの正面カバー５６に設けた識別窓５６ａからその表面を覗かせる状態になる。これにより、利用者は、ミシンが駆動可能な状態（縫い実施可能状態）であることを認識できる。
主軸固定外軸２４に伴いモータスイッチキャップ３０も手前に出ているので、マイクロスイッチ３２のボタン３２ａは押されることなくモータ駆動電源がＯＮの状態となり、ミシンは駆動可能である。
【００４９】
また、縫い実施可能状態では、スライド板６は、最右端に位置しており、支持板軸ばね１０により左方向へ付勢されているが、主軸固定外軸２４の大径部とスライド板６の幅広穴部６ｅが嵌合しているので、スライド板６の左方向への移動が規制されている。また、これに伴い、スライド管４も最右位置に保持される。すなわち、各スライド管４は、上ルーパ受口１ａ、下ルーパ受口２ａとの嵌合位置から離れ、縫い実施状態に保持されている。
【００５０】
図７Ａは、糸通し切換えつまみ６４を反時計回りに回動している状態における糸通し切換えつまみ６４とスライド板６とスライド管４との位置を示す図である。
図７Ｂは、糸通し切換えつまみ６４を反時計回りに回動している状態における切換え制限腕１９の状態を示す図である。
図７Ｃは、糸通し切換えつまみ６４を反時計回りに回動している状態における主軸固定作動腕２０と主軸固定外軸２４と主軸固定内軸２６との関係を示す図である。
図７Ｄは、糸通し切換えつまみ６４を反時計回りに回動している状態におけるモータスイッチキャップ３０とマイクロスイッチ３２との関係を示す図である。
【００５１】
糸通し切換えつまみ６４を反時計回りに回動することにより、切換え制限腕１９のピン１９ｂが切換え連動腕６２の腕６２ｄにより押し上げられて、切換え制限腕１９及び主軸固定作動腕２０は、ミシン右側面から見て時計回りに回動する。このとき、主軸固定板２９の切欠き２９ａが主軸固定外軸２４と嵌合する位相に達してないので、主軸固定外軸２４は主軸固定板２９の外周に当たって停止している。ただし、主軸固定作動ばね２１の働きにより主軸固定作動腕２０及び固定内軸ピン２７を介して主軸固定外軸２４は、主軸固定板２９の軸心方向に常時付勢されている。
【００５２】
このとき、モータスイッチキャップ３０のスイッチ接触面３０ａは、マイクロスイッチ３２のボタン３２ａを押した状態、すなわち、モータ駆動電源がＯＦＦの状態である。この状態では、フットコントローラを踏んでモータを駆動しようとしても、モータは動作しない。
【００５３】
スライド板６は、支持板軸ばね１０により左方向へ付勢されているが、幅広穴部６ｅが主軸固定外軸２４の大径と嵌合しているので、依然として左方向に移動することができない。よって、スライド板６及びスライド管４は、縫い実施可能状態と同様に最右位置に維持される。
【００５４】
図８Ａは、糸通し状態への切換え完了状態における糸通し切換えつまみ６４とスライド板６とスライド管４との位置を示す図である。
図８Ｂは、糸通し状態への切換え完了状態における切換え制限腕１９の状態を示す図である。
図８Ｃは、糸通し状態への切換え完了状態における主軸固定作動腕２０と主軸固定外軸２４と主軸固定内軸２６との関係を示す図である。
図８Ｄは、糸通し状態への切換え完了状態におけるモータスイッチキャップ３０とマイクロスイッチ３２との関係を示す図である。
【００５５】
図７Ａから図７Ｄに示した糸通し切換えつまみ６４を反時計回りに回動している状態からはずみ車（図示せず）を手前側に手動で回転させると、主軸２８の回転に伴い主軸固定板２９が回転して、主軸固定板２９の切欠き２９ａが、主軸固定外軸２４が待機する位相に達する。その瞬間に、主軸固定板２９の軸心方向に付勢されていた主軸固定外軸２４は、切欠き２９ａに突入して、主軸固定外軸２４と切欠き２９ａとが嵌合する。主軸固定外軸２４は、引き続き主軸固定作動ばね２１の働きにより主軸固定板２９の軸心方向に付勢されているので、両者の嵌合は継続される。
【００５６】
このとき、モータスイッチキャップ３０のスイッチ接触面３０ａは、マイクロスイッチ３２のボタン３２ａを押した状態を継続しており、モータ駆動電源がＯＦＦの状態を維持している。
【００５７】
主軸固定外軸２４が後方に進んだことにより、主軸固定外軸２４の小径部２４ｂとスライド板６の長穴部６ｆが一致するので、スライド板６は、支持板軸ばね１０の付勢により左方向に移動する。これに伴い、２本のスライド管４も左方向に移動してスライド管４の左端は、ルーパ天秤案内２３の丸穴２３ａ，２３ｂを貫通し、ルーパ天秤３の上ルーパ糸掛け３ａ，下ルーパ糸掛け３ｂを貫通し、上ルーパ受口１ａ，下ルーパ受口２ａにそれぞれ達して嵌合する。
【００５８】
糸通し切換えつまみ６４を固定している切換え連動腕６２は、一端の球状突起６２ｅと連動腕受け６１の凹部６１ｂが一致することにより、糸通し状態の位置に糸通し切換えつまみ６４を安定的に維持している。
【００５９】
以上説明したように、本実施形態のロックミシンでは、糸通し状態と縫い実施可能状態との切換えを、糸通し切換えつまみ６４の揺動操作に集約することにより、片手による操作が可能であるだけではなく、従来と比較して操作が必要な部材を減らした。よって、本実施形態のロックミシンでは、糸通し状態と縫い実施可能状態との切換を簡単に行うことができる。
また、糸通し状態と縫い実施可能状態を一見して識別できる識別窓５６ａ及びそれと連動するモータ駆動可否の安全装置（モータスイッチキャップ３０、マイクロスイッチ３２）を付加したので、本実施形態のロックミシンは、安全性が高く、かつ、使い勝手が向上している。
【００６０】
（変形形態）
以上説明した実施形態に限定されることなく、種々の変形や変更が可能であって、それらも本発明の範囲内である。
【００６１】
（１）本実施形態において、第１の軸としての主軸固定外軸２４と、第２の軸としての主軸固定内軸２６との関係は、第１の軸側が外側にあり、第２の軸側が内側にある例を挙げて説明した。これに限らず、例えば、第１の軸側が内側にあり、第２の軸側が外側にあるように構成してもよい。また、一方の軸の内部に他方の軸が挿入される形態に限らず、軸線方向において双方が相対的に移動可能に構成できればよく、レール状の案内部を形成する等、どのような形態であってもよい。
【００６２】
（２）本実施形態において、軸ピンとしての固定内軸ピン２７が、第２の軸としての主軸固定内軸２６に設けられている例を挙げて説明した。これに限らず、例えば、軸ピンは、揺動レバー部側に設けられていてもよい。その場合、軸ピンが円弧状に移動しても第２の軸を移動させることができる長穴形状等を第２の軸に設けるとよい。
【００６３】
（３）本実施形態において、切換え制限腕１９のピン１９ｂが切換え連動腕６２の腕６２ｃ，６２ｄと係合するように構成されている例を挙げて説明した。これに限らず、例えば、切換え制限腕１９側に２つの腕を設け、連動腕６２側に１つのピンを設ける等、これらを係合させる形態は、適宜変更可能である。
【００６４】
なお、実施形態及び変形形態は、適宜組み合わせて用いることもできるが、詳細な説明は省略する。また、本発明は以上説明した各実施形態によって限定されることはない。
【符号の説明】
【００６５】
Ａ      ルーパ部
Ｂ      空気流路切換え機構
Ｃ      ルーパ糸通路
Ｄ      主軸固定機構
１      上ルーパ
１ａ    上ルーパ受口
１ｂ    管状部材
１ｃ    上ルーパ剣先
２      下ルーパ
２ａ    下ルーパ受口
２ｂ    管状部材
２ｃ    下ルーパ剣先
３      ルーパ天秤
３ａ    上ルーパ糸掛け
３ｂ    下ルーパ糸掛け
４      スライド管
４ａ    フランジ部
４ｂ    スライド管の一端
４ｃ    スライド管の他端
５      スライド管ばね
６      スライド板（スライド部材）
６ａ    Ｕ溝
６ｂ，６ｃ  丸穴
６ｄ    長穴
６ｅ    幅広穴部
６ｆ    長穴部
６ｇ    ピン
６ｈ    異形長穴
７      ルーパ管支持板
７ａ，７ｂ  通し穴
７ｃ，７ｅ  右側面穴
７ｄ，７ｆ  左側面穴
８      支持板軸
９，１５，１７，６６  Ｅ形止め輪
１０    支持板軸ばね
１２    上ルーパ導通管
１２ａ  直線部
１２ｂ  上端拡張部
１３    下ルーパ導通管
１３ａ  直線部
１３ｂ  上端拡張部
１４    スライド板支え
１４ａ  Ｅ溝付きピン
１４ｂ  丸穴
１４ｃ，１４ｄ  通し穴
１４ｅ  円弧形長穴
１４ｆ  小穴
１６    主軸固定作動軸
１９    切換え制限腕（切換え制限部）
１９ａ  ピン
１９ｂ  ピン
２０    主軸固定作動腕（主軸固定作動腕部）
２０ａ  ピン
２０ｂ  軸ピン係合部
２１    軸固定作動ばね
２３    ルーパ天秤案内
２３ａ，２３ｂ  丸穴
２４    主軸固定外軸（第１の軸）
２４ａ  側面長穴（係合部）
２４ｂ  小径部
２４ｃ  大径部
２４ｄ  主軸固定外軸の一端
２５    固定内軸ばね（軸ばね）
２６    主軸固定内軸（第２の軸）
２７    固定内軸ピン（軸ピン）
２８    主軸
２９    主軸固定板
２９ａ  切欠き
３０    モータスイッチキャップ（識別部材）
３０ａ  スイッチ接触面
３０ｂ  ボス部
３２    マイクロスイッチ
３２ａ  ボタン
３３    スイッチ取付板
３６    チューブ
４４    分岐体
４５    ルーパ選択つまみ
４８ａ  上ルーパ糸挿入穴
４８ｂ  下ルーパ糸挿入穴
５０    分岐台板
５１    ねじ
５４ａ  上ルーパ糸排出管
５４ｂ  下ルーパ糸排出管
５５    ユニット台
５５ａ  切換え軸
５６    正面カバー（外装部材）
５６ａ  識別窓（開口部）
５８    上ルーパ糸
５９    下ルーパ糸
６１    連動腕受け
６１ａ，６１ｂ  凹部
６１ｃ  ねじ
６２    切換え連動腕（切換え連動部）
６２ａ  ボス部
６２ｂ  腕（スライド部材係合部）
６２ｃ  腕（切換え係合部）
６２ｄ  腕（切換え係合部）
６２ｅ  球状突起
６３    座金
６４    糸通し切換えつまみ（切換え操作部）
【図１】
0006401035.tif 000002
【図２】
0006401035.tif 000003
【図３】
0006401035.tif 000004
【図４】
0006401035.tif 000005
【図５】
0006401035.tif 000006
【図６Ａ】
0006401035.tif 000007
【図６Ｂ】
0006401035.tif 000008
【図６Ｃ】
0006401035.tif 000009
【図６Ｄ】
0006401035.tif 000010
【図７Ａ】
0006401035.tif 000011
【図７Ｂ】
0006401035.tif 000012
【図７Ｃ】
0006401035.tif 000013
【図７Ｄ】
0006401035.tif 000014
【図８Ａ】
0006401035.tif 000015
【図８Ｂ】
0006401035.tif 000016
【図８Ｃ】
0006401035.tif 000017
【図８Ｄ】
0006401035.tif 000018